(57)【要約】【課題】 従来の電動ベッドの構造には、ベッドフレームとリクライニングフレームとが固定ロッドにより結続されているため、リクライニングフレームの動作に限界が有り、背ズレや圧迫等を生じるなどの問題が生じていた。【解決手段】  一対の第１誘導路１０と一対の第２誘導路１３の二つの誘導路に、胴側フレーム５に板状部材７を経て配された二つの回動部（１６，１７）がそれぞれ嵌合し、胴側フレーム５が二つの予め定めた設定点２０及び２１を中心に段階的に回転移動する仕組みに着目したことにより、背ズレ、圧迫、違和感等を完全に解消し、快適なベッドライフの提供を目的とすることを特徴とする電動式リクライニングベッド。【選択図】図５
2018102679.tif 000002
【特許請求の範囲】
【請求項１】
足側とされる足側部および前記足側部に隣接して胴側とされる胴側部を有するメイフレームと、
前記足側部の上面に重ねて配置された足側フレームと、
前記胴側部の上面に重ねて配置された胴側フレームと、
前記メインフレームの下方に位置するサブフレームと、
駆動部と、
前記駆動部の駆動力を前記胴側フレームに伝える駆動力伝達手段と、
前記駆動部を操作する駆動操作部とを備えた電動式リクライニングベッドであって、
前記メインフレームは、長手方向と交差する幅方向の両端に一対のメイン長手部材を有し、前記サブフレームは、一対の前記メイン長手部材に沿う一対のサブ長手部材を有し、
前記胴側フレームは、前記足側フレームの側の端部の裏面に,前記裏面に沿って足側方向へ伸びた一対の第１伸長部と一対の前記第１伸長部に対して斜め下方向へ伸びた一対の第２伸長部とを有して一対の前記メイン長手部材に沿ってそれぞれ位置する一対の板状部材を有し、
一対の前記メイン長手部材は、上向きの凹状に湾曲し第１誘導始点から第１誘導終点までの経路を有する一対の第１誘導路をそれぞれ保持し、
一対の前記サブ長手部材は、上向きの凹状に湾曲し第２誘導始点から前記第１誘導終点より前方の第２誘導終点までの経路を有し前記第１誘導路より長く前記メイン長手部材まで伸びた一対の第２誘導路を保持し
一対の前記第１誘導始点及び一対の前記第２誘導始点は、前記長手方向で前記足側フレームの側に位置し、一対の前記第１誘導終点及び一対の前記第２誘導終点は前記長手方向で前記胴側フレームの側に位置し、
一対の前記第１伸長部はそれぞれ、一対の前記第１誘導路にそれぞれ嵌め込まれて回動する一対の第１回動部を支持し、一対の前記第２伸長部はそれぞれ、一対の前記第２誘導路にそれぞれ嵌め込まれて回動する一対の第２回動部を支持したことを特徴とする電動式リクライニングベッド。
【請求項２】
前記駆動部は、少なくとも一方の前記板状部材に配され、前記幅方向に配置された連結軸によって連結された一対の前記第２回動部を回転させて、前記第２誘導路に沿って移動させることを特徴とする請求項１に記載の電動式リクライニングベッド。
【発明の詳細な説明】
【技術分野】
【０００１】
本考案は、電動式リクライニングベッドに関するものである。
【背景技術】
【０００２】
従来例、電動ベッドのリクライニング連動装置（実用新案登録第３１６５０６１号参照）を図9及び図１0に示す。図9及び図１0に示すようにベッドフレームの駆動装置伸縮ロッドが収縮したとき、リクライニングフレームは、ベッドフレーム中の固定ロッド支持ブロック上方に当接され、駆動装置の上方に位置する。
【０００３】
このとき、リクライニングフレーム中の湾曲アームの固定ピンは、ベッドフレーム中の固定ロッドのスライド溝後端に位置する。駆動装置の伸縮ロッドが伸長するとき、伸縮ロッドは、リクライニングフレームの被押圧部を押圧する。このとき、リクライニングフレームの後段は、接続ロッド１４０によって引っ張られるため、上方に移動する。これと同時に、湾曲アーム中の固定ピンのローラがベッドフレーム中の固定ロッドのスライド溝を第２枢着孔の方向にスライドする。
【０００４】
上述の動作により、リクライニングフレームは、上方に傾斜する上、上方に傾斜するとき、固定ピンのローラがベッドフレーム中の固定ロッドのスライド溝をスライドする距離と同じ距離で上方に移動しながら傾斜する。
これにより、ユーザの腹部が圧迫されるのを防止することができ、リクライニングフレームの傾斜角度を調整するときの快適性を高めることができる。さらに、固定ピンには、ローラが組み合わされているため、スムーズにスライドするものである。
【０００５】
この電動ベッドのリクライニング連動構造は、ユーザの腹部が圧迫されたり、ユーザの背部の衣服がマットレスに圧迫されたりするのを防ぐことができる上、リクライニングフレームの傾斜角度を調整するときの快適性を高めることができるものであった。
【先行技術文献】
【特許文献】
【０００６】
【特許文献１】実用新案登録第３１６５０６１号
【発明の概要】
【発明が解決しようとする課題】
【０００７】
しかし、上述の従来の電動ベッドの構造には、以下に示す欠点が存在する。リクライニングフレームは, 接続ロッド１４０は支点１４0aでベッドフレーム中の固定ロッドに結続されているため、リクライニングフレームの傾斜角度を調整するとき、リクライニングフレームの背面の動作が揺動し、ユーザに多少の背ズレや圧迫、背部の違和感が生ずる問題がある。同時に、ユーザ（患者、高齢者、被介護者等）がベッド上で仰臥位、座位の繰り返しをしているうちに足方向への体位ズレが生じ、それを復帰させるための介護者、家族への重い労役を課していた。
【０００８】
本発明は、従来、電動式リクライニングベッドで、ユーザ（患者、高齢者・被介護者）のベッド上での起き上がり時に発生していた多少の背ズレや圧迫、背部の違和感と、ベッド上で仰臥位、座位の繰り返しをしているうちに生じる足方向への体位ズレを復帰させるための介護者、家族への重い労役を解消することを目的とするものである。
【課題を解決するための手段】
【０００９】
本発明は、足側とされる足側部および足側部に隣接して胴側とされる胴側部を有するメインフレームと、
足側部の上面に重ねて配置された足側フレームと、
胴側部の上面に重ねて配置された胴側フレームと、メインフレームの下方に位置するサブフレームと、駆動部と駆動部の駆動力を胴側フレームに伝える駆動力伝達手段と、駆動部を操作する駆動操作部を備えた電動式リクライニングベッドであって、
メインフレームは、長手方向と交差する幅方向の両端に一対のメイン長手部材を有し、サブフレームは、一対のメイン長手部材に沿う一対のサブ長手部材を有し、
胴側フレームは、足側フレームの側の端部の裏面に,裏面に沿って足側方向へ伸びた一対の第１伸長部と一対の第１伸長部に対して斜め下方向へ伸びた一対の第２伸長部とを有して一対のメイン長手部材に沿ってそれぞれ位置する一対の板状部材を有し、
一対のメイン長手部材は、上向きの凹状に湾曲し第１誘導始点から第１誘導終点までの経路を有する一対の第１誘導路をそれぞれ保持し、
一対のサブ長手部材は、上向きの凹状に湾曲し第２誘導始点から第１誘導終点より前方の第２誘導終点までの経路を有し第１誘導路より長くメイン長手部材まで伸びた一対の第２誘導路を保持し
一対の第１誘導始点及び一対の第２誘導始点は、長手方向で足側フレームの側に位置し、一対の第１誘導終点及び一対の第２誘導終点は長手方向で胴側フレームの側に位置し、
一対の第１伸長部はそれぞれ、一対の第１誘導路にそれぞれ嵌め込まれて回動する一対の第１回動部を支持し、一対の第２伸長部はそれぞれ、一対の第２誘導路にそれぞれ嵌め込まれて回動する一対の第２回動部を支持したことを特徴とするものである。
【００１０】
駆動部は、少なくとも一方の板状部材に配され、幅方向に配置された連結軸によって連結された一対の第２回動部を回転させて、第２誘導路に沿って移動させることを特徴とする。
【発明の効果】
【００１１】
従来の電動式リクライニングベッドでは、ユーザ（患者、高齢者、被介護者等）がベッド上で仰臥位から上半身が起き上がり座位に至るまでの過程において、リクライニングフレームの揺動により、背ズレや圧迫、背部の違和感が発生していた。本発明では、そのような背ズレや圧迫、背部の違和感も全く生じない快適なベッドライフを提供できる。
【００１２】
また従来、ベッド上で仰臥位と座位の繰り返しをしているうちに発生していた足方向への体位ズレが全く無くなり、復元のための介護者、家族への重い労役から開放される。
【００１３】
さらに、従来、ユーザが、ベッド上で仰臥位から上半身が起き上がり座位に至るまでの動作を繰り返している間に発生していた足方向への体位ズレを防止するための膝上げを目的にした、足側のフレームに設置された駆動装置（所謂３モーター）は設置の必要が無くなりコスト削減に寄与する。また、駆動部を一体化させ胴側フレームを自走させる仕組みであるため、極めてコンパクトになり部材の減量化につながる。
【００１４】
また本発明は、電動式リクライニングベッドの胴側フレームを、解き放たれた鳥のように自在に動かせる設計が出来る特徴があるため、医療機関や福祉施設の個別のニーズにも設計対応できる利点があり、オーダーメイドの電動式リクライニングベッドの製作が可能となる。
【図面の簡単な説明】
【００１５】
【図１】本発明の一実施形態による電動式リクライニングベッドの、構成を示す側面図である。
【図２】本発明の一実施形態による電動式リクライニングベッドの、胴側フレームの側面図である。
【図３】本発明の一実施形態による電動式リクライニングベッドの、Ａ−Ａによる幅方向の部分断面図である。
【図４】本発明の一実施形態による電動式リクライニングベッドの、胴側フレームと誘導路の側面の展開図である。
【図５】本発明の一実施形態による電動式リクライニングベッドの、駆動部の位置を示した側面図である。
【図６】本発明の一実施形態による電動式リクライニングベッドの、変形例の、胴側フレームに駆動部が配されたＡ−Ａによる幅方向の部分断面図である。
【図７】本発明の一実施形態による電動式リクライニングベッドの、変形例の板状部材の側面図である。
【図８】本発明の一実施形態による電動式リクライニングベッドの、変形例の誘導路の部分斜視図である。
【図８−１】本発明の一実施形態による電動式リクライニングベッドの、変形例の誘導路の端面図である。
【図９】本発明の一実施形態による電動式リクライニングベッドの、変形例の駆動部と回転支持板が配された板状部材の側面図である。
【図９−１】本発明の一実施形態による電動式リクライニングベッドの、誘導路の変形例に対応する,板状部材に回転支持板が配された図９の矢視Ａの側面図である。
【図１０】従来のベッドで、リクライニングフレームの、課題点である一部が固定ピンにより結続されている様子を示す側面図である。
【発明を実施するための形態】
【００１６】
図１参照。本発明は、足側とされる足側部２および足側部２に隣接して胴側とされる胴側部３を有するメインフレーム1と、足側部２の上面に重ねて配置された足側フレーム４と、胴側部３の上面に重ねて配置された胴側フレーム５と,メインフレーム１の下方に位置する第２誘導路１３を支持する役目をするサブフレーム６とを備えた電動式リクライニングベッドである。
【００１７】
図１参照。メインフレーム１は、枠形状を成し長手方向と交差する幅方向の両端に、一対のメイン長手部材１Ｐを有し、サブフレーム６は、一対のメイン長手部材１Ｐに沿う一対のサブ長手部材６Ｐを有している。
【００１８】
図２、図３参照。胴側フレーム５は、足側フレーム４の側の端部の裏面に,裏面に沿って足側方向へ伸びた一対の第１伸長部８と一対の第１伸長部８に対して斜め下方向へ伸びた一対の第２伸長部９とを有した一対の板状部材７を配し、一対の板状部材７は,幅方向で１対のメイン長手部材１Ｐの内側に配された一対の第１誘導路１０の更に内側の位置に配されている。
【００１９】
図２参照。胴側フレーム５に配された１対の板状部材７は、一対の第１伸長部８と一対の第２伸長部９が形成されており、一対の第１伸長部８には、胴側フレーム５が回転する際に、足側フレーム４への接触を避けるための切り込み３０がある。
【００２０】
図３参照。一対の第１伸長部８は、軸３１により支持された一対の可動綸１６１が配され、一対の第２伸長部９の一対の第２回動部１７は、貫通孔２４を貫通した幅方向に配置された連結軸１８の両端に結続された一対の第４歯車１７１が配されている。
【００２１】
図２参照。一対の板状部材７の形状と寸法について述べる。一対の第１伸長部８は、胴側フレーム５より足側に向け、概ね１５センチ伸延した位置とし、一対の可動輪１６１を配し、一対の第２伸長部９は、一対の第１伸長部８より斜め下方で、一対の可動輪１６１の位置の垂線に対して２０度以内の角度a
になるまで伸延させた位置とし、貫通孔２４を貫通した幅方向に配置された連結軸１８の両端に一対の第４歯車１７１を配する。
【００２２】
前項で述べた一対の可動輪１６１の位置の垂線に対して一対の第４歯車１７１の位置に対する角度は、胴側フレーム５の起上角度の設定との関係で決まる。また、一対の可動輪１６１と、一対の第４歯車１７１との縦方向の間隔は、ベッド床面の設定高と、付属器具の差込テーブルのキャスターの高さ（１０センチ程度）との関係を考慮して概ね２５センチ前後とするが、胴側フレーム５を支える強度を確保できればこの寸法に拘ることはない。
【００２３】
図１、図３参照。一対のメイン長手部材１Ｐの幅方向の内側には、Ｃ型の断面をして、上向きの凹状に湾曲し第１誘導始点１１から第１誘導終点１２までの経路を有する一対の第１誘導路１０をそれぞれ保持している。
【００２４】
図４参照。一対のサブ長手部材６Ｐの幅方向の内側には、Ｃ型の断面をして、上向きの凹状に湾曲し第２誘導始点１４から第１誘導終点１２より前方の第２誘導終点１５までの経路を有し第１誘導路１０より長くメイン長手部材１Ｐまで伸びた一対の第２誘導路１３の第２誘導始点１４を保持している。
【００２５】
一対の第１誘導始点１１及び一対の第２誘導始点１４は、長手方向で足側フレーム４の側に位置し、一対の第１誘導終点１２及び一対の第２誘導終点１５は長手方向で胴側フレーム５の側に位置している。また、一対の第２誘導路１３は内部に歯型帯２３（図３参照）を配している。
【００２６】
図３参照。一対の第１伸長部８は、軸３１により、それぞれ一対の第１誘導路１０に嵌め込まれて回動する一対の可動綸１６１をそれぞれ支持し、一対の第２伸長部９は、貫通孔２４を貫通した連結軸１８により、それぞれ一対の第２誘導路１３に嵌め込まれて回動する一対の第４歯車１７１をそれぞれ支持している。
【００２７】
図５参照。駆動部１９の筒状本体１９１は、棒状可動部１９２が筒状内部を突出、入筒する伸縮機能を備え、駆動部１９の基端支持部材１９１１は、一対のサブ長手部材６Ｐの胴側の中央部の位置で、基端支持部材１９１１を幅方向に貫通した支持軸２９により支持されている。
【００２８】
図５参照。駆動部筒状本体１９１の棒状可動部１９２は、先端系合部材１９２１により胴側フレーム５の裏面の幅方向の中央部に設けられた系合部材５１の系合部５１１に系合され、
駆動部１９の駆動力は、駆動部筒状本体１９１に系統して備えられた駆動操作部１９３の操作により、駆動部筒状本体１９１から棒状可動部１９２を突出させ、先端系合部材１９２１から胴側フレーム５の裏面に配された系合部５１１に伝達される。
【００２９】
以上により、胴側フレーム５を、水平状態から角度を上げて行き、胴側フレーム５の側に配された一対の可動綸１６１は、嵌合した一対の第１誘導路１０の第１誘導始点１１から第１誘導終点１２の方向に回転移動し、一対の第４歯車１７１は、嵌合された一対の第２誘導路１３の第２誘導始点１４から第２誘導終点１５の方向に同時に回転移動し、起上角度（座位）まで回転させ、（図４参照）ユーザに背ズレや圧迫、背部の違和感等が全く生ずることなく、回転移動させる機能を有する電動式リクライニングベッド。
【００３０】
本発明の真髄は、一対の可動綸１６１が一対の第１誘導路１０を嵌合移動し、一対の第４歯車１７１が１対の第２誘導路１３をそれぞれ嵌合移動する仕組みに有るが、胴側フレーム５を、背ズレ、圧迫、違和感等が全く発生すること無く動作させる、一対の第１誘導路１０及び１対の第２誘導路１３の誘導形状を導き出し確保するための手順を、次項より段階的に解説する。
【００３１】
以下、図１参照。先ず、予め定めた第１設定点２０と、予め定めた第２設定点２１を設定する。
【００３２】
予め定めた第１設定点２０は、足側フレーム４と胴側フレーム５の境界より足側に概ね７センチ寄り、足側フレーム４とその上面に敷かれたマット２８の上面の位置とする。
【００３３】
予め定めた第２設定点２１は、予め定めた第１設定点２０より胴側に概ね３センチ寄り、かつ、マット２８の上面より概ね１２センチ上方の位置とする。
【００３４】
以上は日本人男性の平均的な体格を根拠にしたもので、人体の腰部の骨格についてみる限りでは、寸法の差違は胴側フレーム５の最適な軌跡に対してそれほど大きく影響されないと思われるものの、条件設定によって若干の調整を加えればよい。
【００３５】
以下、図４参照。「００２１」項で述べた形状と寸法を持った一対の板状部材７が配された胴側フレーム５を、「００３２」「００３３」項で述べた予め定めた第１設定点２０と、予め定めた第２設定点２１を中心にして順次段階的に回転させる。
【００３６】
先ず、胴側フレーム５を、予め定めた第１設定点２０を中心に、水平状態から概ね４０度の角度まで回転させた後、回転の中心点を予め定めた第２設定点２１に移行して、起上角度（座位）である概ね７０度の角度まで回転させる。尚、座位の起上角度はメーカーのそれぞれの想定に委ねる。
【００３７】
前項で述べた、胴側フレーム５の回転により、一対の第１回動部１６と、一対の第２回動部１７が描く軌道を確保する。
【００３８】
胴側フレーム５が水平状態５−０の時は、一対の第１回動部１６は、一対の第１誘導路１０の第１誘導始点１１にあり、一対の第２回動部１７は、一対の第２誘導路１３の第２誘導始点１４にある。
【００３９】
胴側フレーム５を、水平状態から回転の中心点を予め定めた第１設定点２０を中心にして５−１まで回転させた時、一対の第１回動部１６は、一対の第１誘導路１０の１０Ｒ１の位置にあり、一対の第２回動部１７は、一対の第２誘導路１３の１３Ｒ１の位置にある。
【００４０】
胴側フレーム５を、引き続き５−２まで回転（回転点角度が概ね４０度）させた時、一対の第１回動部１６は、一対の第１誘導路１０の１０−Ｓの位置にあり、一対の第２回動部１７は、一対の第２誘導路１３の１３−Ｓの位置にある。
【００４１】
この時点で、回転の中心点を予め定めた第２設定点２１に移行して、胴側フレーム５を５−３まで回転させた時、一対の第１回動部１６は、一対の第１誘導路１０の１０Ｒ２の位置に、一対の第２回動部１７は、１対の第２誘導路１３の１３Ｒ２の位置にある。
【００４２】
胴側フレーム５を、起上角度（座位）の概ね７０度５−４まで回転させた時、一対の第１回動部１６は、一対の第１誘導路１０の第１誘導終点１２の位置となり、一対の第２回動部１７は、一対の第２誘導路１３の第２誘導終点１５の位置となる。
【００４３】
尚、「００３６」から「００４２」により得たそれぞれの誘導曲線が、それぞれの一対の第１誘導路１０と、一対の第２誘導路１３として、それぞれの誘導始点を一対のメイン長手部材１Ｐおよび、一対のサブ長手部材６Ｐにそれぞれ配するが、それぞれの誘導終点がそれぞれ一対のメイン長手部材１Ｐに届かないときは、回転角度が起上角度（座位）の概ね７０度に達した後も回転を継続させて誘導曲線を確保し、それぞれ一対のメイン長手部材１Ｐに届くまでの必要な誘導路の長さを確保する。
【００４４】
以下、図６、図７参照。請求項２の駆動部１９の駆動力は、少なくとも一方の板状部材７に電動モーター２２を配し、電動モーター２２に系統して備えられた駆動操作部１９３の操作により電動モーター２２の第１歯車２５の回転力を、第２歯車２６を経て、連結軸１８の幅方向で駆動部１９の下方に位置する第３歯車２７に伝達される。
【００４５】
第３歯車２７に伝達された回転力は、連結軸１８によって連結された一対の第４歯車１７１を回転させ、嵌合された一対の第２誘導路１３の第２誘導始点１４から第２誘導終点１５の方向に回転移動し、一対の可動綸１６１は、嵌合した一対の第１誘導路１０の第１誘導始点１１から第１誘導終点１２の方向に連動して回転移動する。（図４参照。）
【００４６】
胴側フレーム５は、以上の操作により、水平状態から背ズレや圧迫、背部の違和感等が全く発生することなく起上角度（座位）まで回転移動させる機能を有する電動式リクライニングベッド。
【００４７】
図８、図８−１参照。変型例としての誘導路の形状であるが、一対の第１誘導路１０は、Ｔ型の断面をし、一対の第２誘導路１３は、Ｔ型の断面をして上向きの歯型帯２３を備えている。また、Ｔ型の足に当たる先端部は、一対の第１回動部１６及び、一対の第２回動部１７が脱輪しないように、上下に笠状の突起を設けてある。
いずれも、誘導路の軌道形状は変わらない。
【００４８】
図９、図９−１参照。前項のＴ型の断面をした誘導路を選択した場合は、板状部材７の第１回動部には、軸３１に嵌め込まれた可動綸１６１の他に、可動綸１６１との間に、補助輪３５を配した回転支持板３６が嵌め込まれ、第２回動部には、貫通孔と連結軸１８に結続された第４歯車１７１との間に、補助輪３５を配した回転支持板３６を嵌め込む必要がある。この補助輪３５を配した回転支持板３６は、第１、第２回動部のそれぞれがＴ型の断面をした第１、第２誘導路のそれぞれに沿い移動する際、誘導路との角度の変化に対応して常に直角に接し、抵抗無くスムーズに移動させる効果がある。
【００４９】
以上述べたことを要約すると、第１誘導路１０および第２誘導路１３の誘導軌道曲線は、板状部材７の形状および寸法と、予め定めた第１設定点２０および予め定めた第２設定点２１の設定条件の違いによって様々に変化するものであり、逆にその変化が、メーカが求める効果に対応できる設計が可能となるもので、究極的には、ユーザの個別の要望にも対応できるものである。
【００５０】
尚、本発明を最も効果的に活用するためには、マット２８の中央部、特に、人体の腰部に当たる部分（足側フレームと胴側フレームの境界部分）に、伸縮性を持たせた素材を導入することが必要である。
【００５１】
図１０参照。この図は、ユーザが、ベッド上で仰臥位から上半身が起き上がり座位に至るまでの動作の過程で、ユーザに、背ズレ、圧迫、違和感等が発生していた従来の電動式リクライニングベッドの構造を示す図である。
【符号の説明】
【００５２】
メインフレーム          １
足側部                  ２
胴側部                  ３
足側フレーム            ４
胴側フレーム            ５
サブフレーム            ６
メイン長手部材          １Ｐ
サブ長手部材            ６Ｐ
板状部材                ７
第１伸長部              ８
第２伸長部              ９
第１誘導路            １０
第１誘導始点          １１
第１誘導終点          １２
第２誘導路            １３
第２誘導始点          １４
第２誘導終点          １５
第１回動部            １６
可動輪              １６１
第２回動部            １７
第４歯車            １７１
連結軸                １８
駆動部                １９
予め定めた第１設定点  ２０
予め定めた第２設定点  ２１
電動モーター          ２２
歯型帯                ２３
貫通孔                ２４
第１歯車              ２５
第２歯車              ２６
第３歯車              ２７
マット                ２８
支持軸                ２９
切り込み              ３０
軸                    ３１
駆動力伝達手段        ３２
Ｔ型の断面をした第１誘導路 ３３
Ｔ型の断面をした第２誘導路 ３４
補助輪                ３５
回転支持板            ３６
系合部材              ５１
駆動装置            １１９
駆動部筒状本体      １９１
棒状可動部          １９２
駆動操作部          １９３
接続ロッド          １４０
固定ピン           １４０a
【図１】
2018102679.tif 000003
【図２】
2018102679.tif 000004
【図３】
2018102679.tif 000005
【図４】
2018102679.tif 000006
【図５】
2018102679.tif 000007
【図６】
2018102679.tif 000008
【図７】
2018102679.tif 000009
【図８】
2018102679.tif 000010
【図８−１】
2018102679.tif 000011
【図９】
2018102679.tif 000012
【図９−１】
2018102679.tif 000013
【図１０】
2018102679.tif 000014
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
足側とされる足側部および前記足側部に隣接して胴側とされる胴側部を有するメインフレームと、
前記足側部の上面に重ねて配置された足側フレームと、
前記胴側部の上面に重ねて配置された胴側フレームと、
前記メインフレームの下方に位置するサブフレームと、
駆動部と、
前記駆動部の駆動力を前記胴側フレームに伝える駆動力伝達手段と、
前記駆動部を操作する駆動操作部とを備えた電動式リクライニングベッドあって、
前記メインフレームは、長手方向と交差する幅方向の両端に一対のメイン長手部材を有し、前記サブフレームは、一対の前記メイン長手部材に沿う一対のサブ長手部材を有し、
前記胴側フレームは、前記足側フレームの側の端部の裏面に、前記裏面に沿って足側方向へ伸びた一対の第１伸長部と一対の前記第１伸長部に対して斜め下方向へ伸びた一対の第２伸長部とを有して一対の前記メイン長手部材に沿ってそれぞれ位置する一対の板状部材を有し、
一対の前記メイン長手部材は、上向きの凹状に湾曲し第１誘導始点から第１誘導終点までの経路を有する一対の第１誘導路をそれぞれ保持し、
一対の前記サブ長手部材は、上向きの凹状に湾曲し第２誘導始点から前記第１誘導終点より前方の第２誘導終点までの経路を有し前記第１誘導路より長く前記メイン長手部材まで伸びた一対の第２誘導路を保持し、
一対の前記第１誘導始点及び一対の前記第２誘導始点は、前記長手方向で前記足側フレームの側に位置し、一対の前記第１誘導終点及び一対の前記第２誘導終点は前記長手方向で前記胴側フレームの側に位置し、
一対の前記第１伸長部はそれぞれ、一対の前記第１誘導路にそれぞれ嵌め込まれて回動する一対の第１回動部を支持し、一対の前記第２伸長部はそれぞれ、一対の前記第２誘導路にそれぞれ嵌め込まれて回動する一対の第２回動部を支持したことを特徴とする電動式リクライニングベッド。
【請求項２】
前記駆動部は、少なくとも一方の前記板状部材に配され、前記幅方向に配置された連結軸によって連結された一対の前記第２回動部を回転させて、前記第２誘導路に沿って移動させることを特徴とする請求項１に記載の電動式リクライニングベッド。